(57)【特許請求の範囲】
【請求項１】
周壁に水入口または湯入口等を具備する筒状のボディの外周面に網部材を装着してなる給水・給湯機器のストレーナであって、網部材を、金属材・樹脂材からなる網目を具備する帯板状として、それの両端部に互いに係合して連結する止め装置を設け、この帯板状の網部材を、筒状のボディの外周に巻き付け両端部の止め装置を互いに係合させて連結することによりボディの外周に緊縛状態に装着してなる給水・給湯機器におけるストレーナにおいて、帯板状とした網部材の一端側に係合穴を設け、他端側に前記係合穴に挿入可能な舌片状の挿入部を設け、その舌片状の挿入部に、それの巾方向または厚み方向に突出して前記係合穴の口縁に係合する係合歯状に複数の突起片を設けて、前記止め装置を構成することを特徴とする給水・給湯機器におけるストレーナ。
【請求項２】
周壁に水入口または湯入口等を具備する筒状のボディの外周面に網部材を装着してなる給水・給湯機器のストレーナであって、網部材を、金属材・樹脂材からなる網目を具備する帯板状として、それの両端部に互いに係合して連結する止め装置を設け、この帯板状の網部材を、筒状のボディの外周に巻き付け両端部の止め装置を互いに係合させて連結することによりボディの外周に緊縛状態に装着してなる給水・給湯機器におけるストレーナにおいて、帯板状とした網部材の一端側に係合穴を設け、その係合穴の口縁の一部にその係合穴の内側に向けて突出する小突起を設け、網部材の他端側には前記係合穴に挿入可能な舌片状の挿入部を設け、その挿入部に前記小突起に対し嵌合または係合する穴または溝を設けて、前記止め装置を構成することを特徴とする給水・給湯機器におけるストレーナ。
【請求項３】
周壁に水入口または湯入口等を具備する筒状のボディの外周面に網部材を装着してなる給水・給湯機器のストレーナにおいて、網部材を、金属材・樹脂材からなる網目を具備する帯板状として、それの両端部に、ボディの外周に環状の溝状に形成した網部材装着部の溝壁に設けておく突起と嵌合する穴をそれぞれ設け、この帯板状の網部材を、それの一端側の穴を網部材装着部に設けた突起に嵌合させてその網部材装着部に巻き付け、他端側の穴を前記突起または別に網部材装着部に設ける突起に嵌合させてボディの外周に装着することを特徴とする給水・給湯機器におけるストレーナ。
【請求項４】
周壁に水入口または湯入口等を具備する筒状のボディの外周面に網部材を装着してなる給水・給湯機器のストレーナにおいて、網部材を、金属材・樹脂材からなる網目を具備する帯板状として、それの長手方向の一部に伸縮部を形設して、両端部を熔接または接着剤により接着連結して伸縮部により径が拡縮する円筒状に形成し、この円筒状の網部材を伸縮部の伸長により拡径してボディの外周に嵌挿し、伸縮部を旧に戻して装着することを特徴とする給水・給湯機器におけるストレーナ。
【発明の詳細な説明】
【０００１】
【発明が属する技術分野】
本発明は、給水・給湯機器に、機器故障の最大の原因となっている水・湯に含まれるごみを除去するよう組込むストレーナの装着手段についての改良に関する。
【０００２】
【従来の技術】
給水・給湯機器に組込むストレーナは、例えば、給水・給湯機器のうちの自動混合水栓において、それの外箱内に、混合弁機構を組込んで挿脱自在に装入するカートリッジに組付けるストレーナについて具体的にいえば、混合水栓の外箱内に対し挿脱自在に装入するカートリッジＡは、図１に示しているように、筒状に形成してあるボディ１の内部の一端側（図において下端側）に弁室ａを形成し、この弁室ａと連通する水入口１０および湯入口１１を、ボディ１の筒壁１ａに上下に並列させてそれぞれ窓穴状に開設し、弁室ａ内には、これら水入口１０および湯入口１１の開度を制御する混合弁２を、筒状弁に形成して上下に摺動自在に嵌装して、この混合弁２の上昇により水入口１０の開度を狭めると同時に湯入口１１の開度を拡げ、下降により水入口１０の開度を拡げると同時に湯入口１１の開度を狭めるようにし、この混合弁２の下面側に、ボディ１内の下端側に組付けるバネ３を押し上げる方向に連繋し、また、この混合弁２の上面側に、ボディ１内に温度変化により昇降作動するよう設けたサーモエレメント４を連繋し、サーモエレメント４の出入作動する作動ロッド４０を、カートリッジＡを装入する自動混合水栓の外箱（図においては省略している）に組付ける温度調節機構に連繋し、この温度調節機構の操作により所望に設定した温度の混合水がボディ１の筒壁１ａに設けた混合水出口１２から取り出されるようにする。
【０００３】
そしてこれにより、カートリッジＡを組付ける混合水栓の外箱に設けられる水流路と湯流路から、水入口１０および湯入口１１に導かれる水と湯が、弁室ａ内に流入し、混合水となって、サーモエレメント４の感温部４ａのまわりの混合室ｂに流入し、そこから混合水出口１２に流れていくときの混合水の温度に応じて、サーモエレメント４の作動杆４０が出入作動して、感温部４ａが昇降作動することで、混合弁２が水入口１０と湯入口１１の開度を自動制御し、混合水栓の蛇口から所望に設定した温度の混合水が出湯するようにしている。
【０００４】
この混合水栓に、それの水入口１０および湯入口１１から弁室ａ内に流入する水および湯の中に混在しているごみを除去するように装設するストレーナは、ボディ１の、それに開設した水入口１０および湯入口１１の上下の両側における外面側に、外側に突出する突起状リング５・５を設けて、水入口１０と湯入口１１の外周に、環状に連続する溝を形成しておき、ここに、金属線で円筒状に編成した網部材６を、それを軸方向に押し潰して編目を拡げて径を増大させた状態として、ボディ１の外周に嵌挿していき、その網部材６が突起状リング５・５を越してそれらの上下の間隔内に形成された溝内に位置したところで、軸方向の押し潰しを解除して、径を旧の状態に戻して溝に嵌着した状態とすることにより、水入口１０と湯入口１１のそれぞれの外側に網部材６を装着してストレーナを構成するようにしている。
【０００５】
また、ストレーナの装着する手段には、前述のボディ１の外周に装設する突起状のリング５・５を、ボディ１と別体に形成しておいて、金属線で円筒状に編成した網部材６を嵌挿した後に、この別体に形成した突起状リング５…を嵌挿し、ビスによりボディ１の外周面に止着して網部材６を装着するようにする手段がある。
【０００６】
【発明が解決しようとする課題】
上述の給水・給湯機器におけるストレーナの装着手段には、ストレーナに、金属線材を編成した金網の網部材を用いることで、網に編成した金属線が解けだしたりほつれが生じる問題がある。
【０００７】
また、ストレーナの装着を、金網よりなる網部材を円筒状に編成して、それを軸方向に押し潰すことで拡径状態としてボディの外周に嵌挿し、次いで、押し潰しを解放することで旧の状態に戻して縮径させることで装着する操作を、手先の感覚により行なうことから、取付け装着が不完全になる場合があり、組立てられた製品の品質を劣悪なものとする問題がある。
【０００８】
また、円筒状の金網の網部材を嵌挿した後に、突起状リングを嵌挿してビスにより締着することで組付け装着する手段は、部品点数が増え、かつ、組立工数が増えることで高価なものとなる問題がある。
【０００９】
本発明は、従来手段に生じている上述の問題を解消せしめるためになされたものであって、ストレーナに用いる網部材の網目がほどけるようになることがなく、また、組付け装着が、網部材に無理な変形を加えたり、面倒なビス止めの作業を行なうことなく、簡単な操作により適確に行なえるようにする新たな手段を提供することを目的とする。
【００１０】
【課題を解決するための手段】
そして、本発明においては、上述の目的を達成するための手段として、周壁に水入口または湯入口等を具備する筒状のボディの外周面に網部材を装着してなる給水・給湯機器のストレーナにおいて、網部材を、金属材・樹脂材から網目を具備する帯板状として、それの両端部に互いに係合して連結する止め装置を設け、この帯板状の網部材を、筒状のボディの外周に巻き付け両端部の止め装置を互いに係合させて連結することによりボディの外周に緊縛状態に装着することを特徴とする給水・給湯機器におけるストレーナを提起するものである。
【００１１】
【発明の実施の形態】
本発明手段による給水・給湯機器におけるストレーナの装着手段は、弁機構が収蔵してある弁箱または自動混合水栓のカートリッジの筒状のボディに、網部材よりなるストレーナを組付け装着するに際し、ストレーナを構成する網部材は、円筒状に形成して、弁箱内の流路を仕切るように、または、筒状のボディの外周面に、そのボディに開設してある水入口または湯入口の外面側を囲うように、嵌装した状態として装着するが、長手方向の両端に互いに係合させることでリング状に連結させる止め装置を設けた帯板状に形成して、筒状に丸めて両端の止め装置を連結することで円筒状となるようにするか、周方向の一部に周方向の伸縮を可能とする伸縮部を設けた円筒状に形成しておく。
【００１２】
そして、長手方向の両端部に止め装置を設けた帯状に網部材を形成した場合にあっては、筒状のボディの外周面で、そのボディの筒壁に開設してある水入口または湯入口等の流入口の外面側に、この帯板状の網部材が嵌合して装着される環状の溝状の網部材装着部を、上下に並列する突起状リングを設けるか、切削加工などにより形成しておいて、このボディの周面の環状の嵌合溝状の網部材装着部に、帯板状の網部材をボディに巻き付けるようにして嵌装し、両端の止め装置を係合連結して装着するようにする。
【００１３】
また、周方向の一部に伸縮を可能とする伸縮部を具備せしめた円筒状に網部材を形成せしめた場合にあっては、それの伸縮部を伸長させて径を拡げた状態として、筒状のボディの外周に嵌挿し、前述の如くボディの周面に形成しておく環状に連続する嵌合溝状の網部材装着部と嵌合するように位置させ、その位置において伸縮部の伸長を解除し、旧の径の状態に戻してその網部材装着部に嵌合した状態として装着するようにする。
【００１４】
帯板状に形成した網部材の円筒状に連続させるために、それの長手方向の両端部に装設する止め装置は、帯板状に形成した網部材の長手方向の一端側に、外面側にランス状またはあご状に突出する突起部を設け、他端側にこれと嵌合する穴を設けて、突起部と穴との嵌合による連結で両端を止め合わせるように構成する。
【００１５】
または、帯板状の網部材の長手方向の一端側に穴を設け、他端側にはこの穴に挿入される舌片状の挿入部を設け、その挿入部の巾方向または厚さ方向に複数の突起を設けておいて、帯板状の網部材を筒状に巻き込んで両端部を突き合わせ、一方の端部の挿入部を他端部の穴に挿し込み、挿入部の突起を穴の口縁に係合させることで、帯板状の網部材の長手方向の両端部を連結して止め合わせるように構成する。
【００１６】
または、帯板状の網部材の長手方向の一端側に穴を開設して、その穴の内縁に内側に向けて突出する突起を設けておき、他端側には、前記穴に挿し込まれる舌片状の挿入部を形設し、これに、前記穴の口縁に設けた突起部と嵌合する嵌合穴を設けておいて、帯板状の網部材を円筒状に巻き込んで両端部を突き合わせ、一端側の穴に他端側の舌片状の挿入部を挿し込み、その挿入部の嵌合穴を、一端側の穴の口縁に設けた突起部に嵌め合わせることで、帯板状の網部材の両端部を閉じ合わせて連結するように構成する。
【００１７】
または、帯板状の網部材を巻き付け装着するように筒状のボディの周面に装設しておく環状の溝状の網部材装着部に、外面側に突出する突起を設けておき、帯板状の網部材には、それの一端側に前記突起に嵌合する嵌合穴を設け、他端側には前記突起に嵌合する嵌合穴を、複数個、網部材の長手方向にシリーズに並列させて設けておき、その帯板状の網部材の一端側の嵌合穴を、網部材装着部の突起に嵌合させて、その網部材装着部に巻き付けていき、他端側を前記突起に嵌合している一端側の上に重ねて、その他端側の嵌合穴を前記突起に嵌合させることで、網部材を網部材装着部に巻き付けた状態としてそれの両端部を閉じ合わせて連結するように構成する、等種々に構成してよい。
【００１８】
また、帯板状の網部材を円筒状に形成する際に、周方向に伸縮可能に装備せしめる伸縮部は、帯板状の網部材の長手方向の一端側に、網目のない部分を形成し、そこに、網部材の巾方向の両縁から交互に切り込み状のスリットを入れてジグザグ状にスリットが並列するようにして、長手方向に引張ることで伸長する伸縮部とするか、前述の如く帯板状の網部材の一端側に形成した網目のない部分に、網部材を巾方向に横切る方向の長穴状の窓穴を長手方向に並列させて複数個形成しておくとともに、それら長穴状の窓穴と窓穴との間に、網部材の巾方向に沿う切り込み状のスリットを網部材の巾方向の両縁から、その巾方向の中央部位に向けて切り込み状に設けておいて、長手方向に引張ることで伸長する伸縮部とし、この伸縮部が網部材の他端側の外周側に位置するように網部材を円筒状に巻き、その伸縮部がその長さだけ網部材の他端側に重ねた状態として、その伸縮部の端末側を内側の網部材にスポット熔接・接着剤等により接着で連結することで、円筒状の網部材を構成すると同時に周方向に伸縮する伸縮部を構成するようにする。
【００１９】
また、本発明手段に用いる網部材は、金属線材を編成した金網を用いる必要はなく、金属板または樹脂板に、多数の小孔を目抜き板状に形設した網を用いてよく、むしろ、その方が網目のほつれ・ほどけがなく、また、伸縮部を形設する際の加工が容易となる利益が得られる。
【００２０】
【実施例】
次に実施例を図面に従い詳述する。なお、図面符号は、従前手段のものと同様の機能の構成部材については同じ符号を用いるものとする。
【００２１】
図２は本発明手段を実施せる自動混合水栓の外箱内に対し抜き差し自在に装入される混合弁機構を収蔵せるカートリッジＡの縦断面図で、同図において、１は筒状に形成したボディ、ａはそのボディ１の一端側（図において下端側）の内部に形設した弁室、１０はその弁室ａの天井部側に連通するように配位してボディ１の筒壁１ａに開設した水入口、１１は弁室ａの底部側に連通するように配位してボディ１の筒壁１ａに開設した湯入口、１２は水入口１０から流入する水と湯入口１１から流入する湯との混合水を流出させるよう筒壁１ａの上端側に寄る部位に開設した混合水出口、２は前記水入口１０と湯入口１１との開度を開閉制御するよう弁室ａ内に上下に摺動自在に装入せる混合弁で、筒状弁に形成してあり、上端側には水入口１０の上縁側に設けた水弁座１０ａと対向する水弁２０が設けられ、下縁側には湯入口１１の下縁側に設けた湯弁座１１ａと対向する湯弁２１が設けてある。
【００２２】
３は前記混合弁２を押し上げる方向に付勢するバネで、ボディ１の筒壁１ａの底部に嵌合せる盲蓋１ｂと混合弁２の底面側との間に張設してある。
【００２３】
４は前記水入口１０と湯入口１１とから流入する水と湯との混合水の温度に応じて混合弁２を前記バネ３の付勢に抗して押し下げるようボディ１内に装入せるサーモエレメントで、それのボディとなる感温部４ａが上下に動くようボディ１内に収蔵され、その感温部４ａの下端側が混合弁２に連繋し、感温作動により感温部４ａの上端側から出入する作動ロッド４０は、ボディ１の上端側から突出させてあって、カートリッジＡを自動混合水栓の外箱内に装填することで、その外箱内に組み込まれている温度調節機構の衝合部に衝合して、出入作動により逆に感温部４ａを昇降作動させるようにしてある。
【００２４】
５…は、ボディ１の筒壁１ａの外面側で、水入口１０の上方部位と下方部位および湯入口１１の上方部位と下方部位とに、それぞれ外周方向に鍔状に突出するように設けた突起状リングで、それらの上下の間に、ストレーナの網部材６・６を装着するための環状に連続する溝状の網部材装着部ｗ・ｗを形成している。
【００２５】
次に、図３および図４は、この網部材装着部ｗに装着する網部材６を示している。
【００２６】
網部材６は、鉄板等の金属板または樹脂材よりなる樹脂板から、網部材装着部ｗの上下の巾に対応する巾で、その網部材装着部ｗの周方向の長さより少し長い長さの帯板状の板部材６ａを成形し、それの全面または長手方向の両端部を除いた全面に多数の透孔６０…を形成し、長手方向の一端側には、この板部材６ａの表面側にランス状乃至あご状に突出する係合突起６１を形設し、他端側には前記係合突起６１と係合する係合穴６２を、複数個長手方向に並列させて設けて、この係合突起６１と係合穴６２との係合により両端部を閉じ合わせて円筒状にする止め装置ｙを構成するようにしてあり、これにより、この網部材６を、ボディ１に設けた網部材装着部ｗの外周に巻き付けて一端側と他端側とを止め装置ｙで連結することで、水入口１０・湯入口１１の外面側にストレーナとして装着されるようにしてある。
【００２７】
この網部材６は、それの板部材６ａに、巻き癖を付けておく場合があり、それにより巻き付け装着が容易になる。また、このとき、係合突起６１が突出している面の側を内側として巻き込まれるように巻き癖を付けておくことで、巻き付け装着する際の径調整を行なう側となる係合穴６２…を並設した端部側が内側に位置することから、端末処理が不要となる利益が得られる。
【００２８】
次に、図５は網部材６の別の実施例を示している。この例の網部材６は、帯板状に形成した板部材６ａの長手方向の両端部に設ける止め装置ｙを、一端側には巾方向に沿うスリット状の切り溝６３を巾方向の両側縁から切り込み状に形設し、他端側には同様のスリット状の切り溝６４を長手方向に並列させてジグザグ状に形設して、一端側の切り溝６３を他端側の並列する切り溝６４…のうちから選択する切り溝６４に係合させることで両端を閉じ合わせる止め装置を構成するようにしている例であり、その余の構成は前述の実施例と変わりがない。
【００２９】
次に図６は、網部材６の別の実施例を示している。この例の網部材６は、帯板状に形成した板部材６ａの長手方向の両端部に、それらを接続連結せしめて円筒状に形成するために装設する止め装置ｙを、板部材６ａの一端側には、板部材６ａの巾方向に沿う長穴状の係合穴６５を開設し、他端側には、この係合穴６５に挿し込まれる舌片状の挿入部６６を設け、その挿入部６６に、巾方向または厚さ方向に突出する多数の突起片６６０…を設けておくことで、板部材６ａを円筒状に巻き込み一端側の係合穴６５に他端側の挿入部６６を挿し込んで、それの突起片６６０…を係合穴６５の口縁に係合させることにより網部材６の両端部を閉じ合わせて連結させるように構成している例であり、その余の構成については前述の各実施例の網部材６と変わりがない。
【００３０】
次に図７および図８は網部材６の両端部に設ける止め装置ｙの形態を変えたさらに別の実施例を示している。
【００３１】
この例は、網部材６の一端側に、巾方向に沿う長穴状の係合穴６５を開設し、他端側に、前記係合穴６５に挿し込まれる舌片状の挿入部６６を形成することについては、前述の図６に示している実施例と同様であるが、他端側に形成した舌片状の挿入部６６には、それの厚さ方向の両面にラック状の係合歯６６１・６６１を、そのラック状の係合歯６６１の歯が長手方向に並列するように形設しておいて、舌片状の挿入部６６を係合穴６５に挿通し、その挿入部６６のラック状の係合歯６６１を係合穴６５の口縁に噛み込ませることで、網部材６の両端部を閉じ合わせて連結するように止め装置ｙを構成した例であり、その余の構成については前述の各実施例と変わりがない。
【００３２】
次に図９は、網部材６の両端部に設ける止め装置ｙのさらに異なる実施例を示している。この例の網部材６の止め装置ｙは、網部材６の一端側には巾方向に沿う長穴状の係合穴６５を形設し、他端側にはこの係合穴６５に挿し込まれる舌片状の挿入部６６を形設することについては、前述の実施例と同様であるが、一端側に形設する係合穴６５には、それの口縁に、その係合穴６５の中心に向かうよう内側に突出する小突起６５０を設けておき、また、挿入部６６には、前記小突起６５０と係合する複数の係合穴６６２…を挿入部６６の長手方向に並列させて開設しておき、挿入部６６を係合穴６５に挿し込んだ状態において、その挿入部６６に設けた係合穴６６２…のうちから選択される係合穴６６２を、係合穴６５に設けてある小突起６５０に係合させることで、網部材６の両端部を連結する止め装置ｙとしている例であり、その余の構成については前述の各実施例と変わりがない。
【００３３】
次に図１０および図１１は、帯板状の網部材６を、円筒状に形成するようその網部材６に設ける止め装置ｙのさらに異なる実施例を示している。
【００３４】
この実施例は、帯板状の網部材６を巻き付けて装着するようボディ１の周面に形設しておく環状の網部材装着部ｗ・ｗの底部に、図１０にあるよう係止突起１３を設けておき、網部材６には、それの一端側に、前記網部材装着部ｗに設けた係止突起１３に嵌合する嵌合穴６７を設け、他端側には、前記係止突起１３に嵌合する嵌合穴６８…を、長手方向に並列させて形設しておいて、帯板状に形成した網部材６の一端側の嵌合穴６７を、ボディ１の周面に形成せる網部材装着部ｗに設けた係止突起１３に嵌合させて、その一端側の嵌合穴６７を起点として網部材６を前記網部材装着部ｗに巻き付けていき、一周巻いたところで、他端側に並列させて設けておいた嵌合穴６８…のうちから選択した嵌合穴６８を、一端側の嵌合穴６７の上に重ねて係止突起１３に嵌合して、網部材６を網部材装着部ｗに装着しながら両端を閉じ合わせて円筒形に組立てる止め装置ｙに構成している例であり、この例も、その余の構成は前述の各実施例のものと変わりがない。
【００３５】
次に図１２は、ボディ１の網部材装着部ｗに装着する網部材６を、周方向の一部に伸縮部ｚを具備する円筒状に形成し、それを、伸縮部ｚの伸長により径を増大させてボディ１の網部材装着部ｗに嵌挿し、その状態で伸縮部ｚの伸長を解除して旧の径に戻すことで、網部材装着部ｗに装着するようにしている実施例を示している。
【００３６】
この例における網部材６は、前述した各実施例と同様に、金属材または樹脂材から、帯板状の板部材６ａを成形し、それの長手方向の両端部位を残して全面に多数の透孔６０…よりなる網目を形成しておき、それの一端側の網目のない部位を、長手方向に長く形成しておいて、この部位に、図１２にあるように、巾方向に沿う長穴状の窓穴７０…を、網部材６の長手方向に複数個並列させて開設しておき、これら窓穴７０と窓穴７０との間に位置する部位に、巾方向の両側縁から巾方向の中央部位に向かう切り込み状のスリット７１…を、巾方向の中央部位に余肉を残す長さに設定して形設し、長手方向の端部に舌片状の接続部７２を形成しておき、この網部材６を、図１３にあるよう、長穴状の窓穴７０および切り込み状のスリット７１ならびに舌片状の接続部７２を設けた側が外周側に位置するように巻き込んで、その舌片状の接続部７２を他端側の外周面に当接し、スポット熔接または接着剤により一体に接着することで円筒状に形成し、それの前述の長穴状の窓穴７０…と切り込み状のスリット７１…が、伸縮する伸縮部ｚとなって径方向の拡縮が行なわれるようにしている例である。
【００３７】
次に図１４および図１５は、円筒状に形成する網部材６の周方向の一部に具備せしめる伸縮部ｚの構成態様を異にする実施例を示している。
【００３８】
この例は、円筒状の網部材６を成形するのに、帯板状の板部材６ａを形成して、それに網目となる多数の透孔６０…を形設し、長手方向の少なくとも一方の端部に網目を設けない部位を形成し、それに、巾方向の両側縁から、長手方向に順次変位しながら交互に切り込まれる溝状のスリット７３…を設けて、この網目を設けない部位がジグザグ状に折り畳まれて連続するようにして、このジグザグ状の連続部位が伸縮部ｚを構成するようにした例であり、この帯板状の網部材６を、巻き込んで、それらの両端部を、ジグザグ状にスリット７３…を設けた側が外周側に位置するように重合させて、スリット７３…を設けた側の遊端部に形成しておく舌片状の接続部７２を他端側の外周面に当接して熔接または接着剤により接着することで円筒状に成形し、このとき、ジグザグ状にスリット７３…を設けた部位が伸縮部ｚとなって、円筒状に成形された網部材６の径の拡縮が行なわれるようにし、また、ジグザグ状にスリット７３…を設けた部位が、他端側の網部により内側から覆われることで、ストレーナ機能を損なわないようにしている。
【００３９】
次に図１６乃至図１８は、網部材６を逆止弁付きストレーナＢの弁箱８内に設けるストレーナのボディｂに組付けた実施例を示している。
【００４０】
この例は、流入口８０と吐出口８１とを具備せしめた弁箱８内に、一側が流入口８０と連通し上面側が吐出口８１と連通する弁室ａを設け、この弁室ａ内に、上面側に環状の弁座９０を設けた弁座金具９１を、軸線方向を上下方向とした筒状で、周壁に通水口が解放するストレーナのボディｂと一体に連結させて装入し、それの内腔に逆止弁９２を上下可動に装入してそれの弁体９２０の下面が前記弁座９０に衝合するようバネ９３により下降側に付勢し、周壁に通水口を設けた前記ボディｂの外周面に、網部材６を装着して構成している逆止弁付きストレーナＢについて、その網部材６の装着手段に本発明手段を実施している例である。
【００４１】
この例における網部材６は、前述した各実施例において説明した網部材６と同様に、金属材または樹脂材により、図１８にあるよう帯板状の板部材６ａを形成し、それに長手方向（図１８において左右方向）の両端または一端側を残した全面に、多数の透孔６０…による網目を形成し、それの両端部または一端部の網目のない部位に、伸縮部ｚを形設しておいて、両端部を重合し熔接または接着剤により接着して円筒状に組立て、これを拡径した状態でストレーナのボディｂの外周に嵌挿して拡径を解放することで装着するようにするか、両端部位に前述の各実施例において示している互いに係合する止め装置ｙを設けておいて、その網部材６をボディｂの外周に巻き付け、止め装置ｙを係着させることにより装着するようにしているもので、前述した各実施例の網部材６と変わりがないものである。
【００４２】
【発明の効果】
以上説明したように、本発明手段によれば、網部材に無理な変形を加えたり、面倒なビス止めの作業を行なうことなく、簡単な操作で装着してストレーナを構成できるようになる。そして、網部材を、金属板または樹脂板に多数の透孔を形設した多孔板または目抜板としてよいことから、このようにすることで網目の解きほどけのないストレーナが得られるようになる。
【図面の簡単な説明】
【図１】従前のストレーナを組付けた自動混合水栓の混合弁機構を収蔵せるカートリッジの縦断面図である。
【図２】本発明によるストレーナの装着手段を実施せる自動混合水栓の混合弁機構を収蔵せるカートリッジの縦断面図である。
【図３】本発明手段によるストレーナの網部材の側面図である。
【図４】同上の網部材の平面図である。
【図５】同上の網部材の別の実施例の平面図である。
【図６】同上の網部材の止め装置を異にする実施例の平面図である。
【図７】同上の網部材の止め装置のさらに異なる実施例の側面図である。
【図８】同上の網部材の止め装置の同上実施例の平面図である。
【図９】同上の網部材のさらに止め装置を異にする実施例の平面図である。
【図１０】同上の網部材の止め装置を異にする別の実施例のボディ側の一部破断した側面図である。
【図１１】同上の実施例の網部材の平面図である。
【図１２】同上の網部材の伸縮部を設けた実施例の平面図である。
【図１３】同上の実施例の網部材を円筒状に巻き込んだ状態の斜視図である。
【図１４】同上の網部材の伸縮部を異にする実施例の平面図である。
【図１５】同上の実施例の網部材を円筒状に巻き込んだ状態の斜視図である。
【図１６】同上の網部材を組付けた逆止弁付きストレーナの縦断面図である。
【図１７】同上の逆止弁付きストレーナの開弁状態の縦断面図である。
【図１８】同上の逆止弁付きストレーナに組付けた網部材の平面図である。
【符号の説明】
Ａ…カートリッジ、Ｂ…ストレーナ、ａ…弁室、ｂ…ボディ、ｗ…網部材装着部、ｙ…止め装置、ｚ…伸縮部、１…ボディ、１ａ…筒壁、１ｂ…盲蓋、１０…水入口、１０ａ…水弁座、１１…湯入口、１１ａ…湯弁座、１２…混合水出口、１３…係止突起、２…混合弁、２０…水弁、２１…湯弁、３…バネ、４…サーモエレメント、４ａ…感温部、４０…作動ロッド、５…突起状リング、６…網部材、６ａ…板部材、６０…透孔、６１…係合突起、６２…係合穴、６３・６４…切り溝、６５…係合穴、６５０…小突起、６６…挿込部、６６０…突起片、６６１…係合歯、６６２…係合穴、６７・６８…嵌合穴、７０…窓穴、７１…スリット、７２…接続部、７３…スリット、８…弁箱、８０…流入口、８１…吐出口、９０…弁座、９１…弁座金具、９２…逆止弁、９２０…弁体、９３…バネ。
【図１】
0004484314.tif 000002
【図２】
0004484314.tif 000003
【図３】
0004484314.tif 000004
【図４】
0004484314.tif 000005
【図５】
0004484314.tif 000006
【図６】
0004484314.tif 000007
【図７】
0004484314.tif 000008
【図８】
0004484314.tif 000009
【図９】
0004484314.tif 000010
【図１０】
0004484314.tif 000011
【図１１】
0004484314.tif 000012
【図１２】
0004484314.tif 000013
【図１３】
0004484314.tif 000014
【図１４】
0004484314.tif 000015
【図１５】
0004484314.tif 000016
【図１６】
0004484314.tif 000017
【図１７】
0004484314.tif 000018
【図１８】
0004484314.tif 000019